(57)【要約】      （修正有）【課題】魚の口の奥深く軟骨等に喰い込んだ見えない鈎でも素早く失敗の無い器具誘導及び鈎軸設定が出来、鈎をペンチ以上に確り挟む事により、どの様に細い鈎やハリスでも器具から引き出されたり、折れたり、切れたりせずに抜き取る。【解決手段】小型の金属製パイプ１に導入口、開口部、鍔を設け、金属あるいは硬質プラスチック製のバイトロッド２を上記パイプ内にバネと共に挿入設定して、止めネジで一体型に構成され、上記導入口の前部を漏斗状にして周縁部１ｃの形態を、糸通し溝及びその対面方向を山形に、これと交差する方向を凹ませた曲線縁にして上記溝の両側先端部を突起状にする事によって、ハリス、鈎の器具外れを防止し、鈎軸の器具への誘導と設定を可能にし、上記導入口の後部を漏斗状にし、導入された鈎軸を上記バイトロッドを指操作で押し込んで噛み込むように挟み、鈎を確り固定しながらペンチのように器具全体で魚の口中の鈎を外し取り出す。【選択図】図１
2009273447.tif 000002
【特許請求の範囲】
【請求項１】
ペンのように小型小径の金属製丸型パイプ（１）は鈎軸導入口、開口部、鍔を備え、該丸型パイプ内に金属あるいは硬質プラスチック製のバイトロッド（２）がバネと共に挿入設定され、止めネジで一体に構成された器具にあって、上記鈎軸導入口（３）の後部を漏斗状（３ｃ）にして、導入された鈎軸を、上記バイトロッドを指操作で押込む事によって該ロッド先端部（２ａ）との間に挟み、ペンチのように鈎を確り固定しながら器具全体で魚の口中の鈎を抜き外し、取り出す事が出来る釣鈎外し器具。
【請求項２】
前記鈎軸導入口の前部を漏斗状にして、その周縁部（１ｃ）の形態を、糸通し溝（１ａ）及びその対面方向（ｙ−ｙ）を山形に、これと交差する方向（ｘ−ｘ）を凹ませた曲線縁にして上記糸通し溝の両側先端部に突起（１ｂ）をつける事により、ハリスに添った、器具の円滑な誘導と、上記糸通し溝からの鈎外れを防止しながら、的確に器具先端部を鈎の顎部に当て、鈎軸をロッドで挟める形に設定できる請求項１の釣鈎外し器具。
【発明の詳細な説明】
【技術分野】
【０００１】本発明は、魚釣りの際に魚に呑み込まれた鈎を取り外す器具に関するものである。
【背景技術】
【０００２】ロッドタイプの鈎外し器具でハリスに沿って誘導し魚の口中に掛かっている鈎部に器具を当て、押して外す構造を持つ考案が提示されている。【０００３】
【実用新案文献１】
公開実用新案広報  平１８  第３１２９５５６号
【特許文献１】公開特許広報  特開２００５−１８５１８５
【発明の開示】
【発明が解決しようとする課題】
【０００４】実用新案文献１の案は器具導入時の問題点をすべて解決した優れた案ではあるが、釣行中鞘管が血糊など魚の粘液で固着するなどの問題がある他、共通して特許文献１の器具のように一般に棒状タイプの鈎外し器は魚の口中に掛かっている鈎の顎部に器具を当て、押して外す構造になっている。【０００５】従って鈎を器具の先端部に当てて支える力はハリスの張力だけである、しかし鈎の返しが強く、軟骨部等に深く喰い込でいる場合には、ハリスが切れたり、鈎が折れたり、曲がって導入口より引出される事が多く、又外れても器具離れしているため取り出す際に再び魚の口中に引っ掛かる等の問題が生ずる。渓流釣りの場合には特に鈎もハリスも細いので上記頻度が高く大きな課題となっている。【０００６】以上の問題は針がペンチのようにしっかり掴まれていないために生じている。【０００７】また、魚の口中深く掛かっている見えない鈎の顎部（６ｂ）に器具の先端部を適切に誘導設定するのは難しく、針のチモト部が掛かってハリスが切れたり、また導入後に糸通し溝から外れたりする事も多い。【０００８】本発明はペンのように小さく操作が簡単な器具で、魚の口の奥深くに刺さった見えない鈎の顎部に的確に器具先端部を誘導して押し当てる設定が出来、更にペンチ以上に確り鈎を掴み、渓流釣りなどの細い鈎やハリスでも、器具から引き出されたり、折れたり、切れたりする事無く、確実に抜き外し、取り出す事が出来る釣鈎外し器具の提供を目的とする。
【課題を解決するための手段】
【０００９】器具はペンのように小型の金属製パイプ（１）に導入口、開口部、鍔を設け、金属あるいは硬質プラスチック製のバイトロッド（２）を上記パイプ内にバネと共に挿入設定して、止めネジで一体型に構成したものである。【００１０】請求項１の発明は上記器具の先端部にある導入口の後部を漏斗状にして、そこに挿入されて来た鈎軸を上記ロッドを指操作で押し込んで先端部で挟み、鈎をペンチのように掴んで確り固定して器具全体で魚の口中から鈎を押し抜き、取り出す事が出来る構造である。【００１１】請求項２の発明は導入口の前部を漏斗状にして周縁部（１ｃ）の形態を、糸通し溝及びその対面（ｙ−ｙ）を山形に、これと交差する方向（ｘ−ｘ）を凹ませた曲線縁にして上記溝の両側先端部には突起を付けることを特徴とする事により、器具の円滑な誘導が出来、ハリス、鈎の糸通し溝外れを防止しながら的確に器具先端部を鈎の顎部に当て、鈎軸をロッドで挟める形に設定できる構造である。
【発明の効果】
【００１２】ペンのように小さく簡単な器具で、魚の口の奥深く、軟骨などに刺さった見えない鈎でも、ペンチ以上に確り掴み、素早く簡単確実に外すことが出来る。鈎を直接掴んで押し外すのでハリスに張力が掛からず、渓流釣りなどの細い鈎やハリスでも、器具から引き出されたり、折れたり、切れたりせずに外す事が出来る【００１３】操作が簡単で素早く的確に外せるので、釣りの能率が上がると共に、釣魚のリリースもより可能となり資源保護にも役立つ。【００１４】同じ原理で様々な加工形態や構成が可能であり、また同型でも材質や長さ、径を変える事により各種シリーズが提供出来、多様な釣魚や釣鈎に対応可能となる。
【発明を実施するための最良の形態】
【００１５】以下、本発明の最良の実施形態を図面に基づき説明する【００１６】器具はペンのように小型の金属製パイプ（１）に導入口、開口部、鍔を設け、金属あるいは硬質プラスチック製のバイトロッド（２）を上記パイプ内にバネと共に挿入設定して、止めネジで一体型に構成する。【００１７】上記導入口（３）は真鍮製丸棒等を加工成形した貫通孔を上記パイプ先端部内に嵌め込みロウ付けにより合体させ糸通し溝を切った構造部分であり、前部を４５度、後部を３０度位の傾斜とした漏斗状の内面形状を持つ円形貫通孔となり、上記導入口前方の周縁部（１ｃ）は糸通し溝及びその対面方向（ｙ−ｙ）が山形に、交差する方向（ｘ−ｘ）が凹んだ形の曲線状の縁となり、上記糸通し溝の両側先端部が突起状になった形態を特徴とする。【００１８】上記開口部（１ｄ）は導入口後部に連なる楕円状の鈎軸操作部となり、前方がパイプの中ほどまで開削され、後方の止めネジ用スリットと一体の開口を形成する。【００１９】上記指掛け用の鍔（２ｃ）はストラップ用の穴を開けパイプと同材で製作しパイプ後部にロウ付けする。【００２０】上記バイトロッドは金属または硬質プラスチック製の丸棒を使用し、先端部は上記導入口の漏斗状出口と接触勾配をぴったり合致させた尖筒形となり、上記パイプの内部に挿入設定時、周囲に針軸が入れる適度な隙間が取れるように先細そとなる楕円形状の断面に加工され、前部には止めネジ穴が後部にはバネ止めを兼ねた押し釦が付く。【００２１】以上の構造を特徴とするバイトロッド式針外し器具により、下記一連の針外し操作が素早く完結出来る操作原理を以下説明する。【００２２】釣り上げた魚を、ハリスを張った状態で引き寄せ、糸通し溝（１ａ）にハリスを通し、緊張したハリスに添って器具先端部凹み部分を押し当てながら、素早く掛かり鈎のチモト部まで誘導する、この時、凹部及び突起部の効果で、ハリスが滑動して糸通し溝から外れることは無く又、鈎のチモト部（６ａ）は導入口の漏斗状形状の効用により上記器具先端部の縁に引っ掛かる事も無く的確に開口部に滑り込む。【００２３】更に器具先端部を押し込むと、鈎軸は様々な角度と鈎先の向きをもって導入口（３）に挿入されるが、先端周縁部に対して針先が外向きの場合（図６（２））は、鈎軸は其の侭挿入され顎部は上記縁を滑って（矢印）凹部に引っ掛かり安定し、内向き（図６（３））の場合は外ふところ部が縁部に当たり不安定となり、器具の縁部が押し込まれると同時に針先は外向きに回転し、顎部は縁を滑って（矢印）凹部に引っ掛かり安定する。【００２４】同時に上記開口部（１ｄ）に抜け出る鈎軸も自然に凹み方向の左右（ｘ−ｘ）方向に流れ出て（Ｓｆ）、上下（ｙ−ｙ）方向には向かないため、鈎軸は常にバイトロッド先端部に無理なく適切に挟まれる状態で設定される。【００２５】この時点で注射器を扱うように片手指操作で上記ロッドを押し込む事によって、鈎軸は導入口の漏斗状出口（３ｃ）と尖筒状のロッド先端部位の間（Ｐ１）に噛み込まれ器具に確り固定される状態となる。【００２６】鈎の返しが強く、魚の軟骨等に深く喰い込んでいる様な場合、強く器具を押した時、力点Ｐ２への力は鈎が引き出される方向となり図５漏斗状壁面角度の効果もあってロッドは喰い込んでより確りと鈎軸を掴む。【００２７】更に、器具を押す時は導入口先端縁部（Ｐｏ）とロッド固定部（Ｐ２）の二つの力点で押すため、ペンチ以上に確り鈎軸を挟みこむ事が出来る事により、器具全体を一体の鈎棒の様な感覚で扱えるので安定操作が出来、失敗無く的確に鈎の顎部を押して抜き取り、其の侭魚の口中から取り出す事ができる。【００２８】使い方は導入口の糸通し溝にハリスを通し、注射器を持つように中指、人差し指で鍔部（４）を挟み片手親指をバイトロッド押し釦（２ｃ）に掛け、器具先端の導入口周縁部（１ｃ）の凹部を緊張したハリスに添うように押し当て乍ら素早く魚の口中に誘導し、軽く押して掛かり鈎の顎部に引っ掛ける感じで鈎軸を導入口から開口部（１ｄ）に設定し、その時点で上記押し釦を指で押し込んで、導入口漏斗状壁面（３ｃ）と上記バイトロッドの先端部（２ａ）間に鈎軸をガッチリ噛み込ませ、其の侭器具全体で魚の掛かり部から鈎の顎部を押して抜き、口中から取り出す。（図２）【００２９】先端部外縁形状が溝外れを防止する原理を以下説明する。【００３０】鈎が糸通し溝から外れるのは鈎先が図６（１）の場合のみであり、鈎先が内向きのｇ’のように挿入時に角度が少しでもあれば、器具を押し込む時外フトコロ部に縁が当たり鈎先は回転して顎部が凹み方向に滑るので（矢印）直接溝から外れる事は無い、同様に外向きの、ｇの場合も其の侭挿入されるが、鈎の顎部が縁の山部分を滑って凹部方向に向くので溝部に廻る事は無く、更にバイトロッドで押し挟む時、鈎軸が擦り動き、鈎先が溝側方向に廻る事があるが、この時も溝の両先端部にある突起部（１ｂ）に当たるため（×印）溝部に廻る事は無く、いずれの場合も導入口外縁形状の特徴により鈎の溝外れは防止される。
【図面の簡単な説明】
【００３１】
【図１】（１）器具の基本構成を示す説明概要図、  （２）展開、断面指標  （３）器具の姿図（針を固定した図）
【図２】器具と操作のイメージ図  （１）ハリスに添って魚の口中まで誘導  （２）鈎軸を固定し、器具で押し外し、口中から出す
【図３】課題についての説明図。  （１）器具から引出される鈎  （２）魚の口中に残る鈎
【図４】器具断面図、外観全容図。（管径７ｍｍスケールアップ）  （１）ハリス通し、器具誘導、鈎挿入  ｘ−ｘ断面図  （２）ロッドを押し、鈎を挟む  ｘ−ｘ断面図  （３）同上  ｙ−ｙ断面図
【図５】バイトロッドを押して鈎を固定した状態のｘ軸，ｙ軸断面図  ・鈎の顎が凹部に掛かり軸が左右に抜けたところをロッドで噛む  ・Ｌ１がゼロ（小さい程）ならロッドで挟む力は不要。  ・Ｐ１の引き抜く力が大きい程Ｐ２は強く噛みこむ。
【図６】導入口の先端部形状の効果、正面展開・断面  （鈎の顎部は周縁を滑り凹部に掛かる３様。）  （１）・糸通し溝から鈎が外れる設定方向。  ・ｙ−ｙ軸と同角度で抜ける。  ・突起部に鈎軸が当たり防止。  ・押し込まれて擦り動き回転しても外れない。  ・ｇ’鈎先が内向・溝から外れない．  ・ｇ  鈎先が外向・溝から外れない．  （２）鈎先が外向き、内顎がそのまま滑って凹部に掛かる。  （３）鈎先が内向き、外ふところが縁に当たり→  →  回転して鈎先が外向きになる。  →  顎部が滑って→凹部に掛かる。
【符号の説明】
【００３２】１  パイプ    １ａ  糸通し溝    １ｂ  突起    １ｃ  周縁部    １ｄ  開口部
２  バイトロッド（噛ませ棒）    ２ａ  先端部    ２ｂ  止ネジ    ２ｃ  押し釦
３  導入部    ３ａ  貫通孔    ３ｂ  漏斗状入口    ３ｃ  漏斗状出口
４  指掛け鍔
５  バネ
６  鈎    ６ａ  チモト    ６ｂ  顎    ６ｃ  針先    ６ｄ  フトコロ
７  ハリス
８  掛り部（魚）
Ｓｆ  鈎軸抜け出し方向
Ｐ、Ｐ０、Ｐ、Ｐ１、Ｐ２    力点
ｆ  ハリス張力
ｇ’  鈎先が内向きの場合・（３）の鈎と同じ
ｇ  鈎先が外向きの場合・（２）の鈎と同じ
【図１】
2009273447.tif 000003
【図２】
2009273447.tif 000004
【図３】
2009273447.tif 000005
【図４】
2009273447.tif 000006
【図５】
2009273447.tif 000007
【図６】
2009273447.tif 000008